(57)【要約】【課題】複数の照明用の発光パネルへの給電と点灯制御とを簡単なケーブル敷設によって同時に実現し、配線施工の手間を省き、コストダウンを可能とした照明システムを提供する。【解決手段】単一のＡＣ／ＤＣコンバータ２から複数の照明用の発光パネル３に対して一ライン分の給電線５を介して直流電力を給電する。その際、直流電流に対して操作部４から与えられる発光パネル３の点灯制御用の制御情報を重畳する。これにより、発光パネル３側では、直流電力を受電するとともに、直流電力に重畳された制御情報を抽出し、この抽出した制御情報に基づいて点灯制御を行う。【選択図】図１
2008027784.tif 000002
【特許請求の範囲】
【請求項１】
直流電力を生成する単一の直流電源と、この直流電源から給電される複数の照明用の発光パネルと、これらの発光パネルの点灯制御用の制御情報を入力する操作部とを備え、前記直流電源は、前記操作部から入力される制御情報を直流電流に重畳して前記発光パネルに供給する制御情報重畳手段を有し、前記各発光パネルは、前記直流電源からの電力を受電する受電部と、この受電部で受電された直流電力により発光するＥＬ発光部と、自己のアドレスを記憶する記憶手段と、直流電力に重畳された制御情報に含まれるアドレスが前記記憶手段に記憶されている自己のアドレスと一致するか否かを判定する判定部と、この判定部により両アドレスが一致すると判定された場合には、これに応じて前記制御情報に基づいて前記ＥＬ発光部を点灯制御する点灯制御部と、を備えることを特徴とする照明システム。
【発明の詳細な説明】
【技術分野】
【０００１】
本発明は、エレクトロルミネッセンス（ＥＬ）の発光現象を利用した発光パネルを用いて照明を行う照明システムに関するものである。
【背景技術】
【０００２】
一般に、エレクトロルミネッセンス（ＥＬ）の発光現象を利用した発光パネルは、発熱がほとんどなく、また、軽量、薄型であり、特に、有機ＥＬ発光パネルは、無機ＥＬ発光パネルに比較して色の選択が容易で、駆動電圧が低くて省電力であるなど、種々の利点を有している。
【０００３】
ところで、例えば複数の発光パネルを室内に設けて照明を行う場合、各発光パネルを点灯するためには、各発光パネルにそれぞれ直流電力を供給する必要がある。また、このように、各発光パネルを室内に複数設置する場合には、室内が好みの照明状態となるように、各発光パネルの点灯状態を個別に制御する必要も生じる。
【０００４】
そこで、従来技術では、図５に示すように、交流から直流への変換を行う単一のＡＣ／ＤＣコンバータａを設け、このＡＣ／ＤＣコンバータａから給電線ｃを介して各発光パネルｂに直流電力を供給する一方、室内等に操作部ｄを設けるとともに、給電線ｃとは別に制御用の配線ｅを敷設し、操作部ｄから入力される点灯制御用の信号をこの制御用の配線ｅを介して各発光パネルｂに送信することにより、各発光パネルｂの点灯制御を行うようにした技術が提案されている（例えば、特許文献１参照）。
【特許文献１】特開平１０−２２０７１号公報
【発明の開示】
【発明が解決しようとする課題】
【０００５】
上記の特許文献１に記載されている従来技術の照明システムは、交流から直流への変換を単一のＡＣ／ＤＣコンバータａで一括して行うので、システム全体として見た場合の電力変換効率が改善されるという利点があるものの、給電線ｃと別個に制御用の配線ｅも同時に敷設する必要があり、このため、配線施工に余分な手間と労力がかかるとともに、システム全体のコストアップを招くという不具合がある。
【０００６】
本発明は、上記の課題を解決するためになされたもので、発光パネルの制御用の配線を別途設けなくても、各発光パネルの給電のみならず、点灯制御を同時に行うことができるようにして、配線施工の手間が省くとともに、コストダウンを図った照明システムを提供することを目的とする。
【課題を解決するための手段】
【０００７】
上記の目的を達成するために、本発明の照明システムは、直流電力を生成する単一の直流電源と、この直流電源から給電される複数の照明用の発光パネルと、これらの発光パネルの点灯制御用の制御情報を入力する操作部とを備え、前記直流電源は、前記操作部から入力される制御情報を直流電流に重畳して前記発光パネルに供給する制御情報重畳手段を有し、前記各発光パネルは、前記直流電源からの電力を受電する受電部と、この受電部で受電された直流電力により発光するＥＬ発光部と、自己のアドレスを記憶する記憶手段と、直流電力に重畳された制御情報に含まれるアドレスが前記記憶手段に記憶されている自己のアドレスと一致するか否かを判定する判定部と、この判定部により両アドレスが一致すると判定された場合には、これに応じて前記制御情報に基づいて前記ＥＬ発光部を点灯制御する点灯制御部と、を備えることを特徴としている。
【発明の効果】
【０００８】
本発明によれば、給電線を制御線として兼用することができる。このため、制御用の配線を別途設けなくても、単一の配線によって各発光パネルに対する給電と点灯制御とを同時に実行することができる。このため、配線施工の手間が省けるとともに、コストダウンを図った照明システムを提供することが可能となる。
【発明を実施するための最良の形態】
【０００９】
以下、本発明の実施の形態について、図面を参照して詳しく説明する。図１は本発明の実施の形態における照明システム全体を示す構成図、図２は同システムにおけるＡＣ／ＤＣコンバータの構成を示すブロック図、図３は同システムにおける各発光パネルの構成を示すブロック図である。
【００１０】
この実施の形態の照明システム１は、直流電力を生成する直流電源としての単一のＡＣ／ＤＣコンバータ２と、このＡＣ／ＤＣコンバータ２から給電される複数の照明用の発光パネル３と、これらの発光パネル３に対する点灯制御用の制御情報を入力する操作部４とを備えている。そして、ＡＣ／ＤＣコンバータ２と各発光パネル３とは１ライン分の給電線５を介して互いに接続されている。
【００１１】
上記の操作部４は、リモコン６から与えられる発光パネル３の点灯制御用の信号、すなわち、制御対象となる発光パネル３の指定、当該パネルの点滅や調光等の制御用の信号を受信してこの信号を制御情報としてＡＣ／ＤＣコンバータ２に出力するものである。なお、リモコン６から操作部４に与える制御用の信号は、無線信号、あるいは赤外線等の光信号のいずれであってもよい。
【００１２】
ＡＣ／ＤＣコンバータ２は、図２に示すように、商用の交流電源から供給される交流電力を所定の電圧値をもつ直流電力に変換する整流平滑部２１、この整流平滑部２１からの電力供給を受けて上記操作部４から入力される制御情報を信号伝送に適合した所定のパルス波形の信号として生成するパルス発生部２２、および、このパルス発生部２２で発生されたパルス信号を整流平滑部２１で生成された直流電流に重畳して発光パネル３に供給する制御情報重畳手段としての加算器２３を有する。
【００１３】
一方、各発光パネル３は、室内の天井や壁面等に照明用として設置されており、図３に示すように、ＡＣ／ＤＣコンバータ２からの直流電力を受電する受電部３１、この受電部３１で受電された直流電力により発光するＥＬ発光部３２、自己のアドレスを記憶する記憶手段としてのアドレスメモリ３３、直流電力に重畳されたパルス信号を受信して各発光パネル３の点灯制御用の制御情報を抽出する制御情報抽出部３４、この制御情報抽出部３４で抽出された制御情報に含まれるアドレスがアドレスメモリ３３に記憶されている自己のアドレスと一致するか否かを判定する判定部３５、および、この判定部３５により両アドレスが一致すると判定された場合には、これに応じて制御情報に基づいてＥＬ発光部３２を点灯制御する点灯制御部３６を備えている。
【００１４】
なお、上記のＥＬ発光部３２は、ここでは透明基板に透明電極、有機発光層、金属電極が順次積層された発光素子が封止部材で封止された、いわゆる有機発光パネルが適用されているが、無機発光パネルを適用することも可能である。
【００１５】
次に、上記構成を有する照明システム１の動作について説明する。リモコン６から発光パネル３の点灯制御用の信号が操作部４に与えられると、操作部４は、この点灯制御用の信号を制御情報としてＡＣ／ＤＣコンバータ２に出力する。
【００１６】
ＡＣ／ＤＣコンバータ２の整流平滑部２１は、商用の交流電源から供給される交流電力を直流電力に変換する一方、パルス発生部２２は、操作部４から制御情報が入力されたときには、この制御情報に基づいて信号伝送に適合した所定のパルス波形の信号を生成する。そして、図４に示すように、次段の加算器２３において、整流平滑部２１で生成された直流電流に対してパルス発生部２２で発生されたパルス信号を重畳する。
【００１７】
この場合、直流電流に重畳されるパルス信号は、図４に示すタイミングチャートでは、単位時間Ｔ内に送信するパルス密度を各発光パネルに応じて変化させるパルス密度変調方式の場合を示しているが、これに限らず、パルス幅変調方式、パルス振幅変調方式、パルス位置変調方式など、各種のパルス変調方式を採用することが可能である。
【００１８】
各発光パネル３の受電部３１は、ＡＣ／ＤＣコンバータ２から給電線５を介して供給される直流電力を受電する。また、制御情報抽出部３４は、直流電力に重畳されたパルス信号から発光パネル３の点灯制御用の制御情報、すなわち、制御対象となる発光パネル３の指定、当該パネルの点滅や調光等の制御用の信号を抽出する。
【００１９】
判定部３５は、制御情報抽出で抽出された制御情報に含まれるアドレスがアドレスメモリ３３に記憶されている自己のアドレスと一致するか否かを判定し、両アドレスが一致すると判定した場合には、次段の点灯制御部３６に一致信号を出力する。
【００２０】
点灯制御部３６は、判定部３５から一致信号が与えられたときのみ、制御情報抽出部３４で抽出された制御情報に基づいてＥＬ発光部３２を点灯制御する。これにより、ＥＬ発光部３２が受電部３１で受電された直流電力によって点灯されたり、電力供給を断って消灯されたり、あるいは調光されるなどの制御が行われる。
【００２１】
以上のように、この実施の形態では、給電線５を制御線としても同時に兼用することができる。このため、制御用の配線を別途設けなくても、単一の配線５によって各発光パネル３に対する給電と点灯制御とを同時に実行することができる。その結果、配線施工の手間が省けるとともに、システム全体のコストダウンを図ることが可能となる。
【００２２】
なお、この実施の形態では、リモコン６から発光パネル３の点灯制御用の信号が与えられるようにしているが、操作部４に設けたボタンを直接操作して点灯制御用の信号を生成し、この点灯制御用の信号をＡＣ／ＤＣコンバータ２に与えるようにしてもよいのは勿論である。
【図面の簡単な説明】
【００２３】
【図１】本発明の実施の形態における照明システム全体を示す構成図である。
【図２】同システムにおけるＡＣ／ＤＣコンバータの構成を示すブロック図である。
【図３】同システムにおける各発光パネルの構成を示すブロック図である。
【図４】同システムにおいて、直流電力に制御情報を重畳して発光パネルに送信する場合の説明に供するタイムチャートである。
【図５】従来の照明システムの一例を示す構成図である。
【符号の説明】
【００２４】
１    照明システム
２    ＡＣ／ＤＣコンバータ（直流電源）
３    発光パネル
４    操作部
５    給電線
２３    加算器（制御情報重畳手段）
３１    受電部
３２    ＥＬ発光部
３３    アドレスメモリ（記憶手段）
３５    判定部
３６    点灯制御部
【図１】
2008027784.tif 000003
【図２】
2008027784.tif 000004
【図３】
2008027784.tif 000005
【図４】
2008027784.tif 000006
【図５】
2008027784.tif 000007